(57)【要約】【課題】省エネルギーモードから復帰に要する時間を短縮する。【解決手段】省エネルギーモードからの復帰の際に、電源手段９４から電源を供給されて照明手段５１に対して駆動電圧を供給する点灯装置９１を制御するＣＰＵ１１１１の初期化を待たずに、電源監視手段１２００は電源手段９４から出力される電圧の監視結果に応じて点灯装置９１に対する点灯信号を出力する。これにより、従来のように電源が投入されてからＣＰＵ１１１１の初期化を行った後に照明手段５１をオンする場合より早く省エネルギーモードからスキャナの復帰動作に入ることができるので、省エネルギーモードから復帰に要する時間を短縮することができる。【選択図】        図４
2008067189.tif 000002
【特許請求の範囲】
【請求項１】
待機時に省電力化を図る省エネルギーモードへと移行するとともに、照明手段から原稿に対して光を照射して原稿画像を画像信号として読み取る画像読取装置において、
電源を供給する電源手段と、
前記電源手段から電源を供給され、前記照明手段に対して駆動電圧を供給する点灯装置と、
前記点灯装置を制御するＣＰＵ（Central Processing Unit）と、
前記省エネルギーモードからの復帰の際に、前記ＣＰＵの初期化を待たずに、前記電源手段から出力される電圧の監視結果に応じて前記点灯装置に対する点灯信号を出力する電源監視手段と、
を備えることを特徴とする画像読取装置。
【請求項２】
前記電源監視手段は、前記電源手段から前記点灯装置に対して供給される電圧を分圧して出力する電源オン閾値発生手段と、この電源オン閾値発生手段から出力される電圧が電源オンとみなされる最低入力許容電圧を超えたと判定した場合に、前記点灯装置に対する点灯信号を出力する電源オン検出手段と、を備える、
ことを特徴とする請求項１記載の画像読取装置。
【請求項３】
前記電源オン閾値発生手段は、前記電源手段から前記点灯装置に供給する電圧を前記電源オン検出手段の入力電圧範囲に適合するレベルに変換して出力し、
前記電源オン検出手段は、前記電源オン閾値発生手段からの出力に基づいて点灯信号を制御する、
ことを特徴とする請求項２記載の画像読取装置。
【請求項４】
前記ＣＰＵの初期化が終了した後は、前記ＣＰＵによって前記点灯装置を制御する、
ことを特徴とする請求項１ないし３のいずれか一記載の画像読取装置。
【請求項５】
前記画像信号を増幅するものであって、前記ＣＰＵに制御されて利得を調整するゲインアンプを更に備え、
前記ゲインアンプは、前記照明手段が点灯し前記ＣＰＵの初期化が終了した後であって前記照明手段の光量が安定した後に、利得を決定するための調整動作を開始する、
ことを特徴する請求項１ないし４のいずれか一記載の画像読取装置。
【請求項６】
前記画像信号を増幅するものであって、前記ＣＰＵに制御されて利得を調整するゲインアンプを更に備え、
前記ゲインアンプは、前記照明手段が点灯し前記ＣＰＵの初期化が終了した後であって前記照明手段の光量が安定する前に、利得を決定するための調整動作を開始する、
ことを特徴する請求項１ないし４のいずれか一記載の画像読取装置。
【請求項７】
前記照明手段の光量安定前に前記ゲインアンプの利得を決定するための調整動作を開始する場合は、前記照明手段の光量安定後に前記ゲインアンプの利得を決定するための調整動作を開始する場合と比較して、大きい読み取りピークデータを目標値とする、
ことを特徴する請求項６記載の画像読取装置。
【請求項８】
前記照明手段の光量安定後に前記ゲインアンプの利得を調整する際の読み取りピークデータの目標値をＤｂ、光量安定前後の光量比を（ａ＋ｂ）：ｂとした場合、前記照明手段の光量安定前に前記ゲインアンプの利得を調整する際の読み取りピークデータの目標値：Ｄｍは、
Ｄｍ＝Ｄｂ＊（ａ＋ｂ）／ｂ
となることを特徴する請求項７記載の画像読取装置。
【請求項９】
照明手段から原稿に対して光を照射して原稿画像を画像信号として読み取る画像読取装置と、前記画像読取装置が読み取った画像データに従って画像を形成して出力する画像印刷装置とを備え、待機時に省電力化を図る省エネルギーモードへと移行する画像形成装置において、
電源を供給する電源手段と、
前記電源手段から電源を供給され、前記照明手段に対して駆動電圧を供給する点灯装置と、
前記点灯装置を制御するＣＰＵ（Central Processing Unit）と、
前記省エネルギーモードからの復帰の際に、前記ＣＰＵの初期化を待たずに、前記電源手段から出力される電圧の監視結果に応じて前記点灯装置に対する点灯信号を出力する電源監視手段と、
を備えることを特徴とする画像形成装置。
【請求項１０】
前記電源監視手段は、前記電源手段から前記点灯装置に対して供給される電圧を分圧して出力する電源オン閾値発生手段と、この電源オン閾値発生手段から出力される電圧が電源オンとみなされる最低入力許容電圧を超えたと判定した場合に、前記点灯装置に対する点灯信号を出力する電源オン検出手段と、を備える、
ことを特徴とする請求項９記載の画像形成装置。
【請求項１１】
前記電源オン閾値発生手段は、前記電源手段から前記点灯装置に供給する電圧を前記電源オン検出手段の入力電圧範囲に適合するレベルに変換して出力し、
前記電源オン検出手段は、前記電源オン閾値発生手段からの出力に基づいて点灯信号を制御する、
ことを特徴とする請求項１０記載の画像形成装置。
【請求項１２】
前記ＣＰＵの初期化が終了した後は、前記ＣＰＵによって前記点灯装置を制御する、
ことを特徴とする請求項９ないし１１のいずれか一記載の画像形成装置。
【請求項１３】
前記画像信号を増幅するものであって、前記ＣＰＵに制御されて利得を調整するゲインアンプを更に備え、
前記ゲインアンプは、前記照明手段が点灯し前記ＣＰＵの初期化が終了した後であって前記照明手段の光量が安定した後に、利得を決定するための調整動作を開始する、
ことを特徴する請求項９ないし１２のいずれか一記載の画像形成装置。
【請求項１４】
前記画像信号を増幅するものであって、前記ＣＰＵに制御されて利得を調整するゲインアンプを更に備え、
前記ゲインアンプは、前記照明手段が点灯し前記ＣＰＵの初期化が終了した後であって前記照明手段の光量が安定する前に、利得を決定するための調整動作を開始する、
ことを特徴する請求項９ないし１２のいずれか一記載の画像形成装置。
【請求項１５】
前記照明手段の光量安定前に前記ゲインアンプの利得を決定するための調整動作を開始する場合は、前記照明手段の光量安定後に前記ゲインアンプの利得を決定するための調整動作を開始する場合と比較して、大きい読み取りピークデータを目標値とする、
ことを特徴する請求項１４記載の画像形成装置。
【請求項１６】
前記照明手段の光量安定後に前記ゲインアンプの利得を調整する際の読み取りピークデータの目標値をＤｂ、光量安定前後の光量比を（ａ＋ｂ）：ｂとした場合、前記照明手段の光量安定前に前記ゲインアンプの利得を調整する際の読み取りピークデータの目標値：Ｄｍは、
Ｄｍ＝Ｄｂ＊（ａ＋ｂ）／ｂ
となることを特徴する請求項１５記載の画像形成装置。
【請求項１７】
待機時に省電力化を図る省エネルギーモードへと移行するとともに、照明手段から原稿に対して光を照射して原稿画像を画像信号として読み取る画像読取装置における点灯制御方法であって、
前記省エネルギーモードからの復帰の際に、電源を供給する電源手段から電源を供給されて前記照明手段に対して駆動電圧を供給する点灯装置を制御するＣＰＵ（Central Processing Unit）の初期化を待たずに、前記電源手段から出力される電圧の監視結果に応じて前記点灯装置に対する点灯信号を出力する電源監視工程を含むことを特徴とする点灯制御方法。
【請求項１８】
前記電源監視工程は、前記電源手段から前記点灯装置に対して供給される電圧を分圧して出力する電源オン閾値発生工程と、この電源オン閾値発生工程から出力される電圧が電源オンとみなされる最低入力許容電圧を超えたと判定した場合に、前記点灯装置に対する点灯信号を出力する電源オン検出工程と、を含む、
ことを特徴とする請求項１７記載の点灯制御方法。
【請求項１９】
前記電源オン閾値発生工程は、前記電源手段から前記点灯装置に供給する電圧を前記電源オン検出工程の入力電圧範囲に適合するレベルに変換して出力し、
前記電源オン検出工程は、前記電源オン閾値発生工程からの出力に基づいて点灯信号を制御する、
ことを特徴とする請求項１８記載の点灯制御方法。
【発明の詳細な説明】
【技術分野】
【０００１】
本発明は、画像読取装置、画像形成装置および点灯制御方法に関する。
【背景技術】
【０００２】
最近、環境保護、省エネルギーが取り上げられ、複写機やＭＦＰなどの設計においても、エナジースター、ＺＥＳＭ等の省エネルギーを目標として提唱されている規格に適合させるための努力が続けられている。これらの規格は省エネルギーを目的とし、待機状態（主電源オン後、使用されない状態が所定の時間経ったときに一部の電源供給を停止し、復帰指令を待つ状態）にある時、消費エネルギーに制限を設けたものである。
【０００３】
現在、複写機やＭＦＰで実施されている待機時における省エネルギーモード（以下、省エネモードという）は、消費電力の大きい定着ヒータをはじめ、操作パネル等の電源はオフ、あるいは低電力運転に切り替えられ、スキャナ部に於いては電源供給を遮断することにより一括してオフされることが一般的である。
【０００４】
一方、待機状態にある複写機やＭＦＰを使用する場合は、電源をオン状態に戻したり、低電力運転から通常運転状態に戻し、使用可能な状態になるまでユーザを待たせることになる。この待ち時間はユーザにとっては実際以上に長く感じられ、ストレスを与えることにつながっている。
【０００５】
具体的には、待機状態からの復帰時において、スキャナ部は得られたアナログ画像信号が精度良くデジタル画像信号に変換されるように、電源がオンされた時に以下の調整を行っている。
・ アナログ画像信号を程よい大きさに増幅するための増幅率の調整。
・ 黒レベルが最適な値になるように基準レベルの調整。
【０００６】
従って、スキャナ部への電源供給を停止する場合における待機状態からの復帰時に、上記した調整を行うための時間が含まれ、ユーザをより長く待たせる結果につながると言う不具合がある。
【０００７】
そこで、特許文献１の画像読取装置では、特に消灯期間が長いときの読み取り可能な光量に達するのに要する時間を大きく要する露光ランプの場合、電源投入直後に一度露光ランプを点灯させることによりその後のＡＧＣ（Auto Gain Control）を実行するときの露光ランプの所定の光量に達するまでの時間を短縮させることにより、電源投入後のスキャナの原稿読み取り可能となるまでの時間を短縮させるようにしている。
【０００８】
【特許文献１】特開２００２−１３５５２８号公報
【発明の開示】
【発明が解決しようとする課題】
【０００９】
しかしながら、特許文献１の画像読取装置によれば、電源が投入されてからＣＰＵの初期化および周辺ＡＳＩＣの初期化を行った後に露光ランプをオンする構成であるため、初期化時に要する時間分だけ露光ランプの点灯が遅れる事になる。
【００１０】
さらに、ゲインアンプの利得調整は光源光量が安定化するのを待ってから行うので、スキャナ復帰時間の大幅な短縮は難しい。
【００１１】
本発明は、上記に鑑みてなされたものであって、省エネルギーモードから復帰に要する時間を短縮することを目的とする。
【課題を解決するための手段】
【００１２】
上述した課題を解決し、目的を達成するために、請求項１にかかる発明は、待機時に省電力化を図る省エネルギーモードへと移行するとともに、照明手段から原稿に対して光を照射して原稿画像を画像信号として読み取る画像読取装置において、電源を供給する電源手段と、前記電源手段から電源を供給され、前記照明手段に対して駆動電圧を供給する点灯装置と、前記点灯装置を制御するＣＰＵ（Central Processing Unit）と、前記省エネルギーモードからの復帰の際に、前記ＣＰＵの初期化を待たずに、前記電源手段から出力される電圧の監視結果に応じて前記点灯装置に対する点灯信号を出力する電源監視手段と、を備える。
【００１３】
また、請求項２にかかる発明は、請求項１記載の画像読取装置において、前記電源監視手段は、前記電源手段から前記点灯装置に対して供給される電圧を分圧して出力する電源オン閾値発生手段と、この電源オン閾値発生手段から出力される電圧が電源オンとみなされる最低入力許容電圧を超えたと判定した場合に、前記点灯装置に対する点灯信号を出力する電源オン検出手段と、を備える。
【００１４】
また、請求項３にかかる発明は、請求項２記載の画像読取装置において、前記電源オン閾値発生手段は、前記電源手段から前記点灯装置に供給する電圧を前記電源オン検出手段の入力電圧範囲に適合するレベルに変換して出力し、前記電源オン検出手段は、前記電源オン閾値発生手段からの出力に基づいて点灯信号を制御する。
【００１５】
また、請求項４にかかる発明は、請求項１ないし３のいずれか一記載の画像読取装置において、前記ＣＰＵの初期化が終了した後は、前記ＣＰＵによって前記点灯装置を制御する。
【００１６】
また、請求項５にかかる発明は、請求項１ないし４のいずれか一記載の画像読取装置において、前記画像信号を増幅するものであって、前記ＣＰＵに制御されて利得を調整するゲインアンプを更に備え、前記ゲインアンプは、前記照明手段が点灯し前記ＣＰＵの初期化が終了した後であって前記照明手段の光量が安定した後に、利得を決定するための調整動作を開始する。
【００１７】
また、請求項６にかかる発明は、請求項１ないし４のいずれか一記載の画像読取装置において、前記画像信号を増幅するものであって、前記ＣＰＵに制御されて利得を調整するゲインアンプを更に備え、前記ゲインアンプは、前記照明手段が点灯し前記ＣＰＵの初期化が終了した後であって前記照明手段の光量が安定する前に、利得を決定するための調整動作を開始する。
【００１８】
また、請求項７にかかる発明は、請求項６記載の画像読取装置において、前記照明手段の光量安定前に前記ゲインアンプの利得を決定するための調整動作を開始する場合は、前記照明手段の光量安定後に前記ゲインアンプの利得を決定するための調整動作を開始する場合と比較して、大きい読み取りピークデータを目標値とする。
【００１９】
また、請求項８にかかる発明は、請求項７記載の画像読取装置において、前記照明手段の光量安定後に前記ゲインアンプの利得を調整する際の読み取りピークデータの目標値をＤｂ、光量安定前後の光量比を（ａ＋ｂ）：ｂとした場合、前記照明手段の光量安定前に前記ゲインアンプの利得を調整する際の読み取りピークデータの目標値：Ｄｍは、
Ｄｍ＝Ｄｂ＊（ａ＋ｂ）／ｂ
となる。
【００２０】
また、請求項９にかかる発明は、照明手段から原稿に対して光を照射して原稿画像を画像信号として読み取る画像読取装置と、前記画像読取装置が読み取った画像データに従って画像を形成して出力する画像印刷装置とを備え、待機時に省電力化を図る省エネルギーモードへと移行する画像形成装置において、電源を供給する電源手段と、前記電源手段から電源を供給され、前記照明手段に対して駆動電圧を供給する点灯装置と、前記点灯装置を制御するＣＰＵ（Central Processing Unit）と、前記省エネルギーモードからの復帰の際に、前記ＣＰＵの初期化を待たずに、前記電源手段から出力される電圧の監視結果に応じて前記点灯装置に対する点灯信号を出力する電源監視手段と、を備える。
【００２１】
また、請求項１０にかかる発明は、請求項９記載の画像形成装置において、前記電源監視手段は、前記電源手段から前記点灯装置に対して供給される電圧を分圧して出力する電源オン閾値発生手段と、この電源オン閾値発生手段から出力される電圧が電源オンとみなされる最低入力許容電圧を超えたと判定した場合に、前記点灯装置に対する点灯信号を出力する電源オン検出手段と、を備える。
【００２２】
また、請求項１１にかかる発明は、請求項１０記載の画像形成装置において、前記電源オン閾値発生手段は、前記電源手段から前記点灯装置に供給する電圧を前記電源オン検出手段の入力電圧範囲に適合するレベルに変換して出力し、前記電源オン検出手段は、前記電源オン閾値発生手段からの出力に基づいて点灯信号を制御する。
【００２３】
また、請求項１２にかかる発明は、請求項９ないし１１のいずれか一記載の画像形成装置において、前記ＣＰＵの初期化が終了した後は、前記ＣＰＵによって前記点灯装置を制御する。
【００２４】
また、請求項１３にかかる発明は、請求項９ないし１２のいずれか一記載の画像形成装置において、前記画像信号を増幅するものであって、前記ＣＰＵに制御されて利得を調整するゲインアンプを更に備え、前記ゲインアンプは、前記照明手段が点灯し前記ＣＰＵの初期化が終了した後であって前記照明手段の光量が安定した後に、利得を決定するための調整動作を開始する。
【００２５】
また、請求項１４にかかる発明は、請求項９ないし１２のいずれか一記載の画像形成装置において、前記画像信号を増幅するものであって、前記ＣＰＵに制御されて利得を調整するゲインアンプを更に備え、前記ゲインアンプは、前記照明手段が点灯し前記ＣＰＵの初期化が終了した後であって前記照明手段の光量が安定する前に、利得を決定するための調整動作を開始する。
【００２６】
また、請求項１５にかかる発明は、請求項１４記載の画像形成装置において、前記照明手段の光量安定前に前記ゲインアンプの利得を決定するための調整動作を開始する場合は、前記照明手段の光量安定後に前記ゲインアンプの利得を決定するための調整動作を開始する場合と比較して、大きい読み取りピークデータを目標値とする。
【００２７】
また、請求項１６にかかる発明は、請求項１５記載の画像形成装置において、前記照明手段の光量安定後に前記ゲインアンプの利得を調整する際の読み取りピークデータの目標値をＤｂ、光量安定前後の光量比を（ａ＋ｂ）：ｂとした場合、前記照明手段の光量安定前に前記ゲインアンプの利得を調整する際の読み取りピークデータの目標値：Ｄｍは、
Ｄｍ＝Ｄｂ＊（ａ＋ｂ）／ｂ
となる。
【００２８】
また、請求項１７にかかる発明は、待機時に省電力化を図る省エネルギーモードへと移行するとともに、照明手段から原稿に対して光を照射して原稿画像を画像信号として読み取る画像読取装置における点灯制御方法であって、前記省エネルギーモードからの復帰の際に、電源を供給する電源手段から電源を供給されて前記照明手段に対して駆動電圧を供給する点灯装置を制御するＣＰＵ（Central Processing Unit）の初期化を待たずに、前記電源手段から出力される電圧の監視結果に応じて前記点灯装置に対する点灯信号を出力する電源監視工程を含む。
【００２９】
また、請求項１８にかかる発明は、請求項１７記載の点灯制御方法において、前記電源監視工程は、前記電源手段から前記点灯装置に対して供給される電圧を分圧して出力する電源オン閾値発生工程と、この電源オン閾値発生工程から出力される電圧が電源オンとみなされる最低入力許容電圧を超えたと判定した場合に、前記点灯装置に対する点灯信号を出力する電源オン検出工程と、を含む。
【００３０】
また、請求項１９にかかる発明は、請求項１８記載の点灯制御方法において、前記電源オン閾値発生工程は、前記電源手段から前記点灯装置に供給する電圧を前記電源オン検出工程の入力電圧範囲に適合するレベルに変換して出力し、前記電源オン検出工程は、前記電源オン閾値発生工程からの出力に基づいて点灯信号を制御する。
【発明の効果】
【００３１】
請求項１，９，１７にかかる発明によれば、省エネルギーモードからの復帰の際に、電源手段から電源を供給されて照明手段に対して駆動電圧を供給する点灯装置を制御するＣＰＵの初期化を待たずに、点灯装置に対する点灯信号を出力することにより、従来のように電源が投入されてからＣＰＵの初期化を行った後に照明手段をオンする場合より早く省エネルギーモードからスキャナの復帰動作に入ることができるので、省エネルギーモードから復帰に要する時間を短縮することができる、という効果を奏する。
【００３２】
また、請求項２，１０，１８にかかる発明によれば、ハード的に電源の立ち上がりを検出して光源を点灯するので、従来より早く省エネルギーモードからスキャナの復帰動作に入ることができる、という効果を奏する。
【００３３】
また、請求項３，１１，１９にかかる発明によれば、ハード的に電源の立ち上がりを検出して光源を点灯するので、従来より早く省エネルギーモードからスキャナの復帰動作に入ることができる、という効果を奏する。
【００３４】
また、請求項４，１２にかかる発明によれば、省エネルギーモードからの復帰以降は通常の制御と同様にＣＰＵで制御出来るので、制御上特別な工夫をする必要が無い、という効果を奏する。
【００３５】
また、請求項５，１３にかかる発明によれば、従来に比べて、ゲインアンプの利得調整を行うタイミングが早くなるので、従来より早く省エネルギーモードからスキャナの復帰動作に入ることができる、という効果を奏する。
【００３６】
また、請求項６，１４にかかる発明によれば、光源光量が安定する前に利得調整を開始するので、従来より格段に早く省エネルギーモードからスキャナを復帰させることができる、という効果を奏する。
【００３７】
また、請求項７，１５にかかる発明によれば、光源光量が安定する前に利得調整を開始するが、それに伴った適正な調整目標値とするので、光源光量が安定後に利得調整を開始した場合と同等な調整が可能になる、という効果を奏する。
【００３８】
また、請求項８，１６にかかる発明によれば、光源光量が安定する前に利得調整を開始するが、それに伴った適正な調整目標値とするので、光源光量が安定後に利得調整を開始した場合と同等な調整が可能になる、という効果を奏する。
【発明を実施するための最良の形態】
【００３９】
以下に添付図面を参照して、この発明にかかる画像読取装置、画像形成装置および点灯制御方法の最良な実施の形態を詳細に説明する。
【００４０】
［第１の実施の形態］
本発明の第１の実施の形態を図１ないし図１１に基づいて説明する。本実施の形態は画像形成装置として、コピー機能、ファクシミリ（ＦＡＸ）機能、プリント機能、スキャナ機能および入力画像（スキャナ機能による読み取り原稿画像やプリンタあるいはＦＡＸ機能により入力された画像）を配信する機能等を複合したいわゆるＭＦＰ（Multi Function Peripheral）と称されるデジタル複合機を適用した例である。
【００４１】
図１は、本発明の第１の実施の形態にかかるデジタル複合機１０００を概略的に示す構成図である。本実施の形態にかかるデジタル複合機１０００は、後処理装置であるフィニシャ１００とスキャナ部２００とプリンタ部３００とで構成されている。
【００４２】
本実施の形態にかかるデジタル複合機１０００は、操作部４００（図２参照）のアプリケーション切り替えキーにより、複写機能、プリンタ機能、およびファクシミリ機能を順次に切り替えて選択することが可能となっており、複写機能の選択時には複写モードとなり、プリンタ機能の選択時にはプリンタモードとなり、ファクシミリモードの選択時にはファクシミリモードとなる。ここでは、複写モードにおける画像形成の流れを例に挙げ、図１を参照して説明する。
【００４３】
まず、デジタル複合機１０００のスキャナ部２００について説明する。スキャナ部２００は、概略的には、自動原稿送り装置（以後、ＡＤＦ（Auto Document Feeder）という。）１と読み取りユニット５０とで構成されている。
【００４４】
ＡＤＦ１の原稿台２に原稿の画像面を上にして置かれた原稿束は、操作部４００上のプリントキー（図示せず）が押下されると、一番下の原稿から給送ローラ３、給送ベルト４によってコンタクトガラス６上の所定の位置に給送される。なお、デジタル複合機１０００は、１枚の原稿をコンタクトガラス６上の所定の位置に給送完了する毎に原稿枚数をカウントアップするカウント機能を有している。
【００４５】
コンタクトガラス６上の所定の位置に給送された原稿は、読み取りユニット５０によって画像データを読み取られる。
【００４６】
ここで、読み取りユニット５０について詳述する。読み取りユニット５０は、原稿を載置するコンタクトガラス６と光学走査系で構成されている。光学走査系は、照明手段である露光ランプ５１、第１ミラー５２、レンズ５３、ＣＣＤイメージセンサ５４等で構成されている。露光ランプ５１および第１ミラー５２は、図示しない第１キャリッジ上に固定され、第２ミラー５５および第３ミラー５６は、図示しない第１キャリッジ上に固定されている。この光学走査系は、図示しないスキャナ駆動モータにて駆動される。本実施の読み取りユニット５０は、コンタクトガラス６上に原稿が搭載された場合に、露光ランプ５１を点灯し、第１キャリッジおよび第２キャリッジをスキャナ駆動モータにより右方向に移動走査して原稿を読み取る読み取り方式と、露光ランプ５１を点灯し、第１キャリッジおよび第２キャリッジは停止した状態のまま、ＡＤＦ１によって搬送される原稿を読み取る読み取り方式が選択可能である。第１キャリッジおよび第２キャリッジをスキャナ駆動モータにより右方向に移動走査して原稿を読み取る読み取り方式の場合には、原稿像を読み取るときには、光路長が変わらないように、第１キャリッジと第２キャリッジとが２対１の相対速度で副走査方向に機械的に走査される。原稿画像は、ＣＣＤイメージセンサ５４によって読み取られ、電気信号に変換されて出力される。ＣＣＤイメージセンサ５４からの出力信号は、ＡＤコンバータによりデジタルデータ（画像データ）に変換される。
【００４７】
デジタルデータに変換された原稿画像情報は、例えばプリンタ部３００に送られてプリント出力として画像情報の出力が行なわれる場合や、あるいは記憶装置に送られて入力画像情報の記憶が行なわれる場合等、種々あり、各々のスキャナ部２００の情報として使用されている。
【００４８】
読み取りユニット５０によって画像データの読み取りが終了した原稿は、給送ベルト４および排送ローラ５によって排出される。
【００４９】
さらに、原稿セット検知７にて原稿台２に次の原稿が有ることを検知した場合、前原稿と同様に、次の原稿がコンタクトガラス６上に給送される。
【００５０】
上述した給送ローラ３、給送ベルト４、排送ローラ５は、それぞれ搬送モータ（図示せず）によって駆動される。
【００５１】
次に、デジタル複合機１０００のプリンタ部３００について説明する。プリンタ部３００は、画像印刷装置として機能するものであって、概略的には、作像ステーション７０と定着ユニット１７と給紙部８０と両面給紙ユニット１１１とで構成されている。
【００５２】
作像ステーション７０は、電子写真方式で作像するものであり、書き込みユニット５７と感光体１５と現像ユニット２７と転写部としても機能する搬送ベルト１６とを主体として構成されている。
【００５３】
給紙部８０は、第１トレイ８と第２トレイ９と第３トレイ１０と第１給紙装置１１と第２給紙装置１２と第３給紙装置１３と縦搬送ユニット１４とにより構成されている。第１トレイ８、第２トレイ９、第３トレイ１０に積載された転写紙Ｐは、各々第１給紙装置１１、第２給紙装置１２、第３給紙装置１３によって給紙され、縦搬送ユニット１４によって感光体１５に当接する位置まで搬送される。
【００５４】
読み取りユニット５０にて読み込まれた画像データは、書き込みユニット５７から出力されるレーザビームによって感光体１５に書き込まれ、現像ユニット２７を通過することによってトナー像が形成される。書き込みユニット５７は、レーザ出力ユニット５８、結像レンズ５９、ミラー６０で構成され、レーザ出力ユニット５８の内部には、レーザ光源であるレーザダイオードおよびモータによって高速で定速回転する多角形ミラー（ポリゴンミラー）が備わっている。なお、特に図示しないが、感光体１５の一端近傍のレーザビームを照射される位置に、主走査同期信号を発生するビームセンサが配置されている。
【００５５】
感光体１５上のトナー像は、感光体１５の回転と等速で搬送ベルト１６によって搬送される転写紙Ｐに転写される。その後、定着ユニット１７に搬送されて画像を定着された転写紙Ｐは、排紙ユニット１８によって後処理装置であるフィニシャ１００に排出される。
【００５６】
後処理装置のフィニシャ１００は、排紙ユニット１８の排紙ローラ１９によって搬送された転写紙Ｐを、通常排紙ローラ１０２方向とステープル処理部方向へと切り替えて導くことができる。より詳細には、後処理装置であるフィニシャ１００は、切り替え板１０１を上に切り替えることにより、搬送ローラ１０３を経由して通常の排紙トレイ１０４側に転写紙Ｐを排紙することができ、切り替え板１０１を下方向に切り替えることで、搬送ローラ１０５、１０７を経由して、ステープル台１０８に転写紙Ｐを搬送することができる。
【００５７】
ステープル台１０８に積載された転写紙Ｐは、一枚排紙されるごとに紙揃え用のジョガー１０９によって、紙端面が揃えられ、一部のコピー完了と共にステープラ１０６によって綴じられる。ステープラ１０６で綴じられた転写紙Ｐ群は、自重によってステープル完了排紙トレイ１１０に収納される。
【００５８】
一方、フィニシャ１００の通常の排紙トレイ１０４は、前後に移動可能な排紙トレイである。前後に移動可能な排紙トレイ１０４は、原稿毎、あるいは、画像メモリによってソーティングされたコピー部毎に、前後に移動し、簡易的に排出されてくるコピー紙を仕分けるものである。
【００５９】
本実施の形態にかかるデジタル複合機１０００は、転写紙Ｐの両面に画像を作像可能である。転写紙Ｐの両面に画像を作像する場合は、各給紙トレイ８〜１０から給紙され作像された転写紙Ｐを排紙トレイ１０４側に導かないで、排紙ユニット１８の経路切り替えの為の分岐爪１１２を上側にセットすることで、一旦両面給紙ユニット１１１にストックする。その後、両面給紙ユニット１１１にストックされた転写紙Ｐは、再び感光体１５に作像されたトナー画像を転写するために、反転された状態で両面給紙ユニット１１１から再給紙され、下側にセットされた分岐爪１１２を介して排紙トレイ１０４に導かれる。このように、転写紙Ｐの両面に画像を作成する場合に両面給紙ユニット１１１は使用される。また、画像の載った転写紙Ｐの裏面に印字を行なう際にも両面給紙ユニット１１１を用いて転写紙Ｐの裏表を変えることができる。
【００６０】
なお、上述した感光体１５、搬送ベルト１６、定着ユニット１７、排紙ユニット１８、現像ユニット２７、フィニシャ１００は、メインモータ（図示せず）によって駆動され、各給紙装置１１〜１３はメインモータの駆動を各々給紙クラッチ（図示せず）によって伝達駆動される。縦搬送ユニット１４は、メインモータの駆動を中間クラッチ（図示せず）によって伝達駆動される。
【００６１】
図２は、デジタル複合機１０００のハードウェア構成を示すブロック図である。図２に示すように、このデジタル複合機１０００は、コントローラ１１０１とプリンタ部３００及びスキャナ部２００とをＰＣＩ（Peripheral Component Interconnect）バスで接続した構成となる。コントローラ１１０１は、デジタル複合機１０００全体の制御と描画、通信、操作部４００からの入力を制御するコントローラである。なお、プリンタ部３００又はスキャナ部２００には、誤差拡散やガンマ変換などの画像処理部分が含まれる。
【００６２】
コントローラ１１０１は、コンピュータの主要部であるＣＰＵ（Central Processing Unit）１１１１と、システムメモリ（ＭＥＭ−Ｐ）１１１２と、ノースブリッジ（ＮＢ）１１１３と、サウスブリッジ（ＳＢ）１１１４と、ＡＳＩＣ（Application Specific Integrated Circuit）１１１６と、ローカルメモリ（ＭＥＭ−Ｃ）１１１７と、ハードディスクドライブ（ＨＤＤ）１１１８とを有し、ＮＢ１１１３とＡＳＩＣ１１１６との間をＡＧＰ（Accelerated Graphics Port）バス１１１５で接続した構成となる。また、ＭＥＭ−Ｐ１１１２は、ＲＯＭ（Read Only Memory）１１１２ａと、ＲＡＭ（Random Access Memory）１１１２ｂとをさらに有する。
【００６３】
ＣＰＵ１１１１は、デジタル複合機１０００の全体制御を行うものであり、ＮＢ１１１３、ＭＥＭ−Ｐ１１１２およびＳＢ１１１４からなるチップセットを有し、このチップセットを介して他の機器と接続される。
【００６４】
ＮＢ１１１３は、ＣＰＵ１１１１とＭＥＭ−Ｐ１１１２、ＳＢ１１１４、ＡＧＰバス１１１５とを接続するためのブリッジであり、ＭＥＭ−Ｐ１１１２に対する読み書きなどを制御するメモリコントローラと、ＰＣＩマスタおよびＡＧＰターゲットとを有する。
【００６５】
ＭＥＭ−Ｐ１１１２は、プログラムやデータの格納用メモリ、プログラムやデータの展開用メモリ、プリンタの描画用メモリなどとして用いるシステムメモリであり、ＲＯＭ１１１２ａとＲＡＭ１１１２ｂとからなる。ＲＯＭ１１１２ａは、ＣＰＵ１１１１の動作を制御するプログラムやデータの格納用メモリとして用いる読み出し専用のメモリであり、ＲＡＭ１１１２ｂは、プログラムやデータの展開用メモリ、プリンタの描画用メモリなどとして用いる書き込みおよび読み出し可能なメモリである。
【００６６】
ＳＢ１１１４は、ＮＢ１１１３とＰＣＩデバイス、周辺デバイスとを接続するためのブリッジである。このＳＢ１１１４は、ＰＣＩバスを介してＮＢ１１１３と接続されており、このＰＣＩバスには、ネットワークインタフェース（Ｉ／Ｆ）部１１０４なども接続される。
【００６７】
ＡＳＩＣ１１１６は、画像処理用のハードウェア要素を有する画像処理用途向けのＩＣ（Integrated Circuit）であり、ＡＧＰバス１１１５、ＰＣＩバス、ＨＤＤ１１１８およびＭＥＭ−Ｃ１１１７をそれぞれ接続するブリッジの役割を有する。このＡＳＩＣ１１１６は、ＰＣＩターゲットおよびＡＧＰマスタと、ＡＳＩＣ１１１６の中核をなすアービタ（ＡＲＢ）と、ＭＥＭ−Ｃ１１１７を制御するメモリコントローラと、ハードウェアロジックなどにより画像データの回転などを行う複数のＤＭＡＣ（Direct Memory Access Controller）と、プリンタ部３００やスキャナ部２００との間でＰＣＩバスを介したデータ転送を行うＰＣＩユニットとからなる。このＡＳＩＣ１１１６には、ＰＣＩバスを介してＦＣＵ（Fax Control Unit）１１２１、ＵＳＢ（Universal Serial Bus）１１２２、ＩＥＥＥ１３９４（the Institute of Electrical and Electronics Engineers 1394）インタフェース１１２３が接続される。
【００６８】
ＭＥＭ−Ｃ１１１７は、コピー用画像バッファ、符号バッファとして用いるローカルメモリであり、ＨＤＤ１１１８は、画像データの蓄積、ＣＰＵ１１１１の動作を制御するプログラムの蓄積、フォントデータの蓄積、フォームの蓄積を行うためのストレージである。
【００６９】
ＡＧＰバス１１１５は、グラフィック処理を高速化するために提案されたグラフィックスアクセラレータカード用のバスインタフェースであり、ＭＥＭ−Ｐ１１１２に高スループットで直接アクセスすることにより、グラフィックスアクセラレータカードを高速にするものである。
【００７０】
次に、本実施の形態のデジタル複合機１０００のコントローラ１１０１がプログラムに従って実現する待機時に省電力化を図る省エネルギーモード（以下、省エネモードという）機能について簡単に説明する。デジタル複合機１０００で実施される待機時における省エネモードは、消費電力の大きい定着ユニット１７の定着ヒータや操作部４００等の電源はオフあるいは低電力運転に切り替え、スキャナ部２００においては電源を一括してオフする。より詳細には、デジタル複合機１０００は、下記に示す３種類の省エネモードを備えている。
低電力モード：最後に機器を使用してから一定時間経過した場合に、エンジン系負荷の一部を除いて電源供給停止＋定着温度を下げる。
スリープモード：低電力モードに移行後、引き続き操作が行われなかった場合、エンジン系負荷への電源供給を停止する。
オフモード：設定時間以上機器を使用しない場合に、エンジン系負荷は全て、コントローラ系負荷は一部を除いて電源供給停止する。
【００７１】
なお、スリープモードは、オプション追加によりプリンタ機能やスキャナ機能を有した場合に有効となる。オフモードは、コピー機能しか有しない場合に有効となる。よって、スリープとオフモードは、デジタル複合機１０００がどのような機能を有しているかにより、一方の機能のみ有効になる。すなわち、スリープモードとオフモードは、排他の関係にある。
【００７２】
ところで、上述したような省エネモードによる待機状態からの復帰時においては、スキャナ部２００は、得られたアナログ画像信号が精度良くデジタル画像信号に変換されるように、電源がオンされた時に以下の調整を行っている。
・ アナログ画像信号を程よい大きさに増幅するための増幅率の調整。
・ 黒レベルが最適な値になるように基準レベルの調整。
【００７３】
従って、スキャナ部２００への電源供給を停止する場合における待機状態からの復帰時に、上記した調整を行うための時間が含まれるため、電源投入後のスキャナ部２００の原稿読み取り可能となるまでの時間の短縮が望まれている。
【００７４】
次に、本実施の形態のデジタル複合機１０００が備える特徴的な機能である光源点灯制御機能について説明する。
【００７５】
図３は、スキャナ部２００の読み取りユニット５０を示す概略構成図である。前述した構成に加えて、読み取りユニット５０の上部であってコンタクトガラス６の副走査方向上流側には、白基準板９０が配置されている。この白基準板９０は、電源オン時には画像信号を増幅するゲインアンプの利得調整する際の読み取り対象であり、原稿読み取り時にはシェーディング補正データを得るための読み取り対象である、主走査方向に設けられた均一濃度のほぼ白色の部材である。
【００７６】
本実施の形態のデジタル複合機１０００においては、原稿の読み取りに先立って白基準板９０の読み取りデータを走査して、シェーディング補正用データを生成しメモリに記憶しておき、そのシェーディング補正用データで原稿画像を読み取りながら正規化することで、該装置における光量分布ムラ、ＣＣＤの感度ムラ、そして出力変動等を補正し、原稿の画像情報を精度よく読み取っている。
【００７７】
露光ランプ５１は、点灯装置９１より駆動電圧を印加されて点灯する。なお、９４は点灯装置９１やスキャナ駆動モータＭなどに対して２４Ｖ電圧を供給する電源（電源手段）である。露光ランプ５１からの光は、白基準板９０あるいはコンタクトガラス６に戴置された原稿に対してある角度で照射され、白基準板９０あるいはコンタクトガラス６に戴置された原稿で反射した光は３枚のミラー５２，５５，５６、レンズ５３を経由して光電変換素子であるＣＣＤイメージセンサ５４に入射する。
【００７８】
ＣＣＤイメージセンサ５４は、ＣＣＤ基板９２に搭載されている。このＣＣＤ基板９２は、クロックドライバ（図示せず）、タイミング回路９２ａ、ＣＣＤ出力信号処理部（図示せず）などを備えている。ＣＣＤ基板９２は、入射光量に対応した電圧を出力し、画像処理部９３に画像データとして渡す。
【００７９】
上述したように、スキャナ部２００はコントローラ１１０１に制御されるものであり、点灯装置９１とＣＣＤ基板９２と画像処理部９３とについてもコントローラ１１０１により制御されることになる。
【００８０】
ここで、図４はスキャナ部２００の制御系を示すブロック図である。図４に示すように、コントローラ１１０１は、ＣＣＤ基板９２内のタイミング回路９２ａや点灯装置９１を制御する。また、コントローラ１１０１は、電源９４によって供給される電圧を監視する電源監視手段１２００を有している。より詳細には、電源監視手段１２００は、電源９４によって供給された電圧が点灯装置９１の最低入力許容電圧を超えたか否かを監視し、超えた場合に点灯信号を出力する。
【００８１】
コントローラ１１０１のＣＰＵ１１１１は、ＣＣＤ基板９２内のタイミング回路９２ａに対して周波数、位相、出力する／しない等のレジスタ設定を行う。ＣＣＤ基板９２内のタイミング回路９２ａは、ＣＣＤイメージセンサ５４に対するＣＣＤ駆動クロック（図４参照）ではφ、SHの２種のみ記載しているが、実際にはφと逆位相の／φ、RS、CPなど数種類のクロックが必要である）、点灯装置９１に対する光源駆動クロック（Ckinv）を生成出力する。光源駆動クロック（Ckinv）は、点灯装置９１の出力である光源駆動電圧を生成する為のタイミングクロックであり、光源駆動クロック（Ckinv）の立ち上りに同期して点灯装置９１から露光ランプ５１に高圧が印加される。
【００８２】
加えて、コントローラ１１０１のＣＰＵ１１１１は、電源監視手段１２００に対して光源点灯信号（CNT0）を出力する。電源監視手段１２００は、光源点灯信号（CNT0）に応じて光源点灯信号（CNT）を点灯装置９１に出力する。光源点灯信号（CNT）は、“Ｌ”レベルの時に点灯を許可する信号であり、“Ｈ”レベルの時にランプ駆動クロック（Ckinv）が入力されても点灯しない（図７参照）。
【００８３】
なお、電源９４は、電源監視手段１２００および点灯装置９１に対して２４Ｖ電圧を供給するとともに、タイミング回路９２ａなどにはロジック系として一般的な電圧（３．３Ｖや５Ｖ）を供給する。
【００８４】
図５は、点灯装置９１の入力系を示すブロック図である。図５に示すように、点灯装置９１に対する入力としては、電源（２４Ｖ）、ＧＮＤ、光源駆動クロック（Ckinv）、光源点灯信号（CNT）があり、２本の出力ラインを露光ランプ５１に接続する。点灯装置９１は、光源点灯信号（CNT）と光源駆動クロック（Ckinv）にしたがって露光ランプ５１の点灯に関する制御を行なう。
【００８５】
以上により、ランプ駆動クロック（Ckinv）を点灯装置９１に入力しておき、コントローラ１１０１のＣＰＵ１１１１は画像読み取り要求があった時に、光源点灯信号（CNT）をアクティブにするＯＮ／ＯＦＦ制御が簡単に行なえる。もちろん、ランプ駆動クロック（Ckinv）が無い構成（電源、ＧＮＤ、光源点灯信号（CNT）の構成）であっても本発明に関して何ら支障無い。
【００８６】
図６は、点灯制御に関する部分を示す回路図である。図６に示すように、電源監視手段１２００は、電源オン閾値発生手段１２０１と電源オン検出手段１２０２とを備えており、スキャナ部２００の電源９４がオンされた際の電源の立ち上がりを監視する。
【００８７】
電源オン閾値発生手段１２０１は、電源９４から点灯装置９１に対して供給される２４Ｖ電圧を抵抗で分圧した電圧（Vchk）を出力する。ここでは、Ｒ１とＲ２の比は約５：１に設定されており、２４Ｖを４Ｖ程度に分圧する。電源オン検出手段１２０２は、ＮＡＮＤ回路であり、ＴＴＬ（Transistor Transistor Logic）等の汎用的ＩＣである。すなわち、電源オン閾値発生手段１２０１の分圧比は、電源オン検出手段１２０２への入力電圧範囲に適合するような比にしている。電源オン検出手段１２０２には、ＣＰＵ１１１１の出力する光源点灯信号（CNT0）も入力される。
【００８８】
図７は、点灯制御に関するタイミングチャートである。一般に、電源オン直後でまだＣＰＵ１１１１の初期化が終了していない時点ではＣＰＵポートは入力ポートとして設定されているのが一般的である。図６の回路図では５Ｖにプルアップしているので、ＣＰＵ１１１１の初期化が終了して出力ポート設定がなされ、且つ意図して“Ｌ”レベル出力をするまでは、CNT0＝“Ｈ”である。
【００８９】
図７に示すように、電源オン直後、２４Ｖ電圧は徐々に上昇し、最終的に２４Ｖに到達する。このときの電源オン閾値発生手段１２０１の出力（Vchk）は、２４Ｖ電源の上昇に合わせて徐々に上昇し、最終的に４Ｖに到達する。そして、電源監視手段１２００は、電源オン閾値発生手段１２０１の出力（Vchk）が電源オン検出手段１２０２のハイレベル閾値（Vih）を超えた時点で、“Ｌ”レベルの光源点灯信号（CNT1）を出力する。
【００９０】
電源監視手段１２００からの光源点灯信号（CNT1）を受けているバッファはオープンコレクタタイプのＩＣであり、このとき光源点灯信号（CNT）も“Ｌ”となり、電流を引っ張って点灯装置９１をアクティブにする。
【００９１】
その後、ＣＰＵ１１１１の初期化が終了して出力ポート設定がなされ、CNT0信号＝“L”としたときには、露光ランプ５１を消灯させるように点灯装置９１を制御する。
【００９２】
このように本実施の形態によれば、省エネルギーモードからの復帰の際に、電源９４から電源を供給されて露光ランプ５１に対して駆動電圧を供給する点灯装置９１を制御するＣＰＵ１１１１の初期化を待たずに、電源監視手段１２００は電源手段９４から出力される電圧の監視結果に応じて点灯装置９１に対する点灯信号を出力する。これにより、従来のように電源が投入されてからＣＰＵ１１１１の初期化を行った後に露光ランプ５１をオンする場合より早く省エネルギーモードからスキャナ部２００の復帰動作に入ることができるので、省エネルギーモードから復帰に要する時間を短縮することができる。
【００９３】
［第２の実施の形態］
次に、本発明の第２の実施の形態を図８ないし図１３に基づいて説明する。なお、前述した第１の実施の形態と同じ部分は同じ符号で示し説明も省略する。
【００９４】
図８は、本発明の第２の実施の形態にかかるスキャナ部２００を構成する各部の電気的接続を示すブロック図である。なお、図８ではＣＣＤイメージセンサ５４からの出力は１系統のみ記載してあるが、高速タイプのＣＣＤイメージセンサ５４では２系統あるいは４系統の出力タイプも存在する。本実施の形態においては、何系統の出力であっても良い。
【００９５】
図８に示すように、原稿からの反射光をアナログ画像信号に変換したＣＣＤイメージセンサ５４から出力されたアナログ画像信号は、バッファでドライブされてサンプリング回路９２ｂにてサンプルホールドされ、リセットノイズ等の高周波成分が除去される。ゲインアンプ９２ｃは、コントロール端子に印加される電圧（Ｖｇ）にて利得を制御できるアンプであり、オフセット設定部９２ｄはコントロール端子に印加される電圧（Ｖof）にてオフセットを設ける機能を有する。Ｖｇ，Ｖofは、ＣＰＵ１１１１がＤ／Ａ変換回路（図示せず）を操作して決定する電圧である。例えば、Ｄ／Ａ変換回路が８ビットであればＣＰＵ１１１１は０〜２５５のいずれかの値をＤ／Ａ変換回路に対して設定し、Ｄ／Ａ変換回路は対応した電圧を出力する。
【００９６】
Ａ／Ｄ変換回路９２ｅは、アナログ画像信号を上限基準値、下限基準値に基づいて所定の分解能（例えば８ｂｉｔ）でデジタル画像信号に変換する。このデジタル画像信号は、画像処理部９３のオフセットレベル検出回路９３ａおよびオフセットレベル減算回路９３ｂに入力される。
【００９７】
オフセットレベル検出回路９３ａは、ＸＯＰＢ信号がアサートされている期間に、ＣＣＤイメージセンサ５４のＯＰＢ（Optical Black）画素に対応したＡ／Ｄ変換回路９２ｅの出力を取り込んで保存する機能を有する。保存されるオフセットレベルは、複数のＯＰＢ画素を取り込んだ平均値であり、ＣＣＤイメージセンサ５４の出力系統毎に保存される。図９は、主走査方向における各種出力信号の関係を示すタイミングチャートである。図９に示すように、１走査期間の始めにＯＰＢ画素領域があり、その領域でサンプリングされ、Ａ／Ｄ変換され出力されたデジタル画像信号をｘｏｐｂ信号により検出し、保存するという動作を行う。また、この時検出されたオフセットレベルはＣＰＵ１１１１に送られ、オフセット設定部９２ｄによるオフセット設定に用いる。
【００９８】
オフセットレベル減算回路９３ｂは、ＣＣＤイメージセンサ５４の有効画素の範囲に対応したデジタル画像信号が入力された際に、Ａ／Ｄ変換回路９２ｅの出力値からオフセットレベル検出回路９３ａに保存された値を減算する回路である。オフセットレベル減算回路９３ｂの画像信号出力は、オフセットレベルの変動が補正されている。
【００９９】
白ピーク検出回路９３ｃは、ＸＬＧＡＴＥ信号とＳＭＰＬ信号がアサートされている範囲内で入力されたデジタル画像信号のピーク値を保存する回路である。より詳細には、白ピーク検出回路９３ｃは、図１０に示す白基準板９０の読み取りデータにかかるオフセットレベル減算回路９３ｂのデジタル画像信号出力を受け、ＸＬＧＡＴＥ信号にて指示されるＣＣＤイメージセンサ５４の有効画素の範囲に対応した期間にその画像信号のピーク値を保存する回路である。図８に示すように、１走査期間の有効画素の範囲毎にサンプリングされ、Ａ／Ｄ変換され出力されたデジタル画像信号をＸＬＧＡＴＥ信号により取り出し、その間のピーク値を検出し、保存するという動作を行う。
【０１００】
ＣＰＵ１１１１は、オフセットレベル検出回路９３ａ、白ピーク検出回路９３ｃにアクセスすることにより最新のオフセットレベル値、ピーク値を得ることができる。ＣＰＵ１１１１が取得した白ピーク値は、ゲインアンプ９２ｃの利得調整に用いられる。
【０１０１】
シェーディングデータ保存回路９３ｄは、白基準板９０を読み取った値を各画素毎に平均化等の処理を行いながら順次保存する回路であり、シェーディング補正回路９３ｅは画像を読み取ったデジタル画像データとシェーディングデータ保存回路９３ｄに保存されている白基準板データとで補正演算を行う回路であり、画像処理部９３ｆに適正な画像データを出力する。
【０１０２】
次に、デジタル複合機１０００における主電源投入時及び省電力モードからの復帰時における行うゲインアンプ９２ｃの利得調整について説明する。
【０１０３】
図１１は、デジタル複合機１０００の主電源投入（省電力モードからの復帰）直後のタイミングチャートである。図１１のタイミングチャートは、本実施の形態のタイミングチャートと従来のタイミングチャートとの２通りを対比して記載している。図１１に示すように、本実施の形態のタイミングチャートは、従来と同様に、露光ランプ５１の光量安定後にゲインアンプ９２ｃの利得調整を行うものである。しかしながら、第１の実施の形態で説明したように、本実施の形態のデジタル複合機１０００は、ＣＰＵ１１１１の初期化処理終了に依存せずに、電源９４によって供給された電圧が点灯装置９１の最低入力許容電圧を超えた場合に露光ランプ５１を点灯する。すなわち、２４Ｖ電源が上昇して所定レベルに到達した時点で、光源点灯信号（CNT）がアサートされ、露光ランプ５１が点灯する。したがって、図１１に示すように、従来に比べて、ゲインアンプ９２ｃの利得調整を行うタイミングが早くなるので、従来より早く省エネモードからスキャナ部２００を復帰させることができる。
【０１０４】
ここで、図１２は主電源投入（省電力モードからの復帰）直後における処理の流れを示すフローチャートである。図１２に示すように、主電源投入（省電力モードからの復帰）されると、電源オン閾値発生手段１２０１の出力（Vchk）が電源オン検出手段１２０２のハイレベル閾値（Vih）を超えたか否かが判定される（ステップＳ１）。
【０１０５】
電源オン閾値発生手段１２０１の出力（Vchk）が電源オン検出手段１２０２のハイレベル閾値（Vih）を超えたと判定した場合には（ステップＳ１のＹｅｓ）、光源点灯信号（CNT1）＝CNT＝“Ｌ”アクティブとし、露光ランプ５１をオンにする（ステップＳ２）。
【０１０６】
次いで、ＣＰＵ１１１１の初期化処理が終了し、制御可能な状態になったか否かを判定する（ステップＳ３）。
【０１０７】
ＣＰＵ１１１１の初期化処理が終了し、制御可能な状態になったと判定した場合には（ステップＳ３のＹｅｓ）、ステップＳ４に進み、ゲインアンプ９２ｃの利得調整を行う。
【０１０８】
ゲインアンプ９２ｃの利得調整について、図１３のフローチャートを参照しつつ説明する。
【０１０９】
まず、ＣＰＵ１１１１のポート設定を出力ポート設定とし、露光ランプ５１は点灯させたままにするのでCNT0＝“Ｈ”に出力設定し（ステップＳ１１）、ゲインアンプ９２ｃにデフォルトゲイン（Vg0）を設定する（ステップＳ１２）。
【０１１０】
次いで、ＳＭＰＬ信号をアサートして白ピーク検出回路９３ｃから白基準板９０のピークデータ（Dwp）を読み取り（ステップＳ１３，Ｓ１４）、ピークデータ（Dwp）が目標公差内（Dp±B）に入っているか否かを判定する（ステップＳ１５）。なお、Dpは調整目標値であり、Bは調整公差である。
【０１１１】
ピークデータ（Dwp）が目標公差内（Dp±B）に入っていないと判定した場合には（ステップＳ１５のＮｏ）、目標公差内に入るように、ゲイン設定値（Vg）を算出する（ステップＳ１６）。
【０１１２】
そして、計算結果のVgが設定可能範囲（VgL〜VgH）内か否かを判定する（ステップＳ１７）。設定可能範囲内の値であれば（ステップＳ１７のＹｅｓ）、計算結果のVgを実際に設定して（ステップＳ１８）、再度ピークデータ（Dwp）を読み取る（ステップＳ１３，Ｓ１４）。
【０１１３】
一方、計算結果のVgが設定可能範囲外の場合（ステップＳ１７のＮｏ）、エラーであるが、設定可能範囲内で計算値に近い値Vgを設定する（ステップＳ１９）。
【０１１４】
設定可能範囲内で計算値に近い値Vgを設定した後（ステップＳ１９）、または、ピークデータ（Dwp）が目標公差内（Dp±B）に入っていると判定した場合には（ステップＳ１５のＹｅｓ）、ゲインアンプ９２ｃの利得調整が終了したので、CNT0＝“Ｌ”に出力設定してCNT1＝CNT＝“Ｈ”とし、露光ランプ５１をオフして（ステップＳ２０）、利得調整を終了する。
【０１１５】
ステップＳ４の利得調整が終了すると、スキャン要求に待機する（ステップＳ５）。
【０１１６】
そして、スキャン要求があった場合には（ステップＳ５）、スキャン動作に従って露光ランプ５１をオン／オフ制御する（ステップＳ６）。具体的には、スキャン開始に先立って、ＣＰＵ１１１１のポートを“Ｈ”設定に変更して、露光ランプ５１をオンする。この場合、CNT0＝“Ｈ”、CNT1＝CNT＝“Ｌ”になる。スキャンが終了すると、ＣＰＵ１１１１のポートを“Ｌ”設定に変更して、露光ランプ５１をオフする。この場合、CNT0＝“Ｌ”、CNT1＝CNT＝“Ｈ”になる。
【０１１７】
このように本実施の形態によれば、従来に比べて、ゲインアンプ９２ｃの利得調整を行うタイミングが早くなるので、従来より早く省エネルギーモードからスキャナ部２００の復帰動作に入ることができる。
【０１１８】
［第３の実施の形態］
次に、本発明の第３の実施の形態を図１４および図１５に基づいて説明する。なお、前述した第１の実施の形態と同じ部分は同じ符号で示し説明も省略する。
【０１１９】
第２の実施の形態では、露光ランプ５１の光量安定後にゲインアンプ９２ｃの利得調整を行うようにしたが、本実施の形態においては、露光ランプ５１を点灯させた後、光量が安定する前に、ゲインアンプの利得を決定するための調整動作を開始するようにしたものである。
【０１２０】
図１４は、デジタル複合機１０００の主電源投入（省電力モードからの復帰）直後のタイミングチャートである。図１４のタイミングチャートは、本実施の形態のタイミングチャートと従来のタイミングチャートとの２通りを対比して記載している。図１４に示すように、本実施の形態のタイミングチャートは、露光ランプ５１を点灯させた後、光量が安定する前に、ゲインアンプ９２ｃの利得調整を行うものである。第１の実施の形態で説明したように、本実施の形態のデジタル複合機１０００は、ＣＰＵ１１１１の初期化処理終了に依存せずに、電源９４によって供給された電圧が点灯装置９１の最低入力許容電圧を超えた場合に露光ランプ５１を点灯する。したがって、本実施の形態においては、露光ランプ５１の光量安定前にゲインアンプ９２ｃの利得調整を行うタイミングは、ＣＰＵ１１１１の初期化処理が終了した時点であり、利得調整終了時間は、従来に比べると図１４に示す様な差が生じることになる。すなわち、図１４に示すように、従来に比べて、ゲインアンプ９２ｃの利得調整を行うタイミングが格段に早くなるので、従来より早く省エネモードからスキャナ部２００を復帰させることができる。
【０１２１】
しかしながら、露光ランプ５１の光量安定前に利得調整を実行する場合、光量は安定レベルに対して差が生じることになる。よって、露光ランプ５１の光量安定後に利得調整を実行する場合と同等になる様に、調整時の読み取りデータ目標値は光量差の分だけ変える必要がある。
【０１２２】
図１５は、図１１の例の場合の目標値を示したものである。露光ランプ５１の光量安定後にゲインアンプ９２ｃの利得を調整する際の読み取りピークデータの目標値をDb、光量安定前後の光量比を（ａ＋ｂ）：ｂとした場合、露光ランプ５１の光量安定前にゲインアンプ９２ｃの利得を調整する際の読み取りピークデータの目標値Dmは、
目標値Dm＝Db＊（ａ＋ｂ）／ｂ
となる。
【０１２３】
このように本実施の形態によれば、光源光量が安定する前に利得調整を開始するので、従来より格段に早く省エネルギーモードからスキャナを復帰させることができる。
【０１２４】
なお、各実施の形態においては、照明手段としてキセノンランプなどの露光ランプ５１を適用したがこれに限るものではなく、密着センサに搭載されたＬＥＤにも適用可能である。
【図面の簡単な説明】
【０１２５】
【図１】本発明の第１の実施の形態にかかるデジタル複合機を概略的に示す構成図である。
【図２】デジタル複合機のハードウェア構成を示すブロック図である。
【図３】スキャナ部の読み取りユニットを示す概略構成図である。
【図４】スキャナ部の制御系を示すブロック図である。
【図５】点灯装置の入力系を示すブロック図である。
【図６】点灯制御に関する部分を示す回路図である。
【図７】点灯制御に関するタイミングチャートである。
【図８】本発明の第２の実施の形態にかかるスキャナ部を構成する各部の電気的接続を示すブロック図である。
【図９】主走査方向における各種出力信号の関係を示すタイミングチャートである。
【図１０】白基準板の読み取りを示すタイミングチャートである。
【図１１】デジタル複合機の主電源投入（省電力モードからの復帰）直後のタイミングチャートである。
【図１２】主電源投入（省電力モードからの復帰）直後における処理の流れを示すフローチャートである。
【図１３】ゲインアンプの利得調整の流れを示すフローチャートである。
【図１４】本発明の第３の実施の形態にかかるデジタル複合機の主電源投入（省電力モードからの復帰）直後のタイミングチャートである。
【図１５】図１１の例の場合の目標値を示す説明図である。
【符号の説明】
【０１２６】
５１        照明手段
９１        点灯装置
９２ｃ      ゲインアンプ
９４        電源手段
２００      画像読取装置
３００      画像印刷装置
１０００    画像形成装置
１１１１    ＣＰＵ
１２００    電源監視手段
１２０１    電源オン閾値発生手段
１２０２    電源オン検出手段
【図１】
2008067189.tif 000003
【図２】
2008067189.tif 000004
【図３】
2008067189.tif 000005
【図４】
2008067189.tif 000006
【図５】
2008067189.tif 000007
【図６】
2008067189.tif 000008
【図７】
2008067189.tif 000009
【図８】
2008067189.tif 000010
【図９】
2008067189.tif 000011
【図１０】
2008067189.tif 000012
【図１１】
2008067189.tif 000013
【図１２】
2008067189.tif 000014
【図１３】
2008067189.tif 000015
【図１４】
2008067189.tif 000016
【図１５】
2008067189.tif 000017